(57)【特許請求の範囲】
【請求項１】
無線ネットワークに属し、プライマリユーザを持つスペクトル帯域においてネットワーク動作モードの下で動作する装置の規制順守モードを動的に再構成する方法において、
前記装置のプライマリユーザ保護機能を決定するステップと、
前記装置に対するイネーブリング信号の利用可能性及び前記装置の場所変更の頻度の少なくとも１つを定期的に決定するステップと、
前記の定期的な決定の結果と前記装置のプライマリユーザ保護機能とに基づいて、前記装置によりサポートされる複数の規制順守モードの１つによって動作し、前記装置の送信パラメータを構成するステップとを有し、
前記イネーブリング信号は、動作すべき装置に対して利用可能なチャネルの送信出力制限及び規制順守モードを示す、方法。
【請求項２】
前記装置の前記ネットワーク動作モードがマスタ装置であり、前記装置の前記プライマリユーザ保護機能が、ジオロケーションデータベースに対するアクセスを有し、前記方法が、
前記ジオロケーションデータベースに対するアクセスが使用不可である場合に、感知のみ規制順守モードによって動作し、前記装置の送信パラメータを構成するステップと、
前記ジオロケーションデータベースに対するアクセスが使用可能である場合に、前記ジオロケーションデータベースにアクセスし、前記装置の場所を決定するステップと、
前記アクセス又は場所決定が失敗する場合に、感知のみ規制順守モードによって動作し、前記装置の送信パラメータを構成するステップと、そうでなければ、
規制順守モードＩＩによって動作し、前記装置の送信パラメータを構成するステップと、
前記装置の場所が変更され、前記場所変更の頻度が閾値を超える場合に、感知のみ規制順守モードによって動作し、前記装置の送信パラメータを構成するステップとを有する、請求項１に記載の方法。
【請求項３】
前記装置の前記ネットワーク動作モードがスレーブ装置であり、前記方法が、
イネーブリング信号が受信される場合に、規制順守モードＩによって及び前記イネーブリング信号において指定されるように動作し、前記装置の送信パラメータを構成し、そうでなければ、感知のみ規制順守モードによって動作し、前記装置の送信パラメータを構成するステップを有する、請求項１に記載の方法。
【請求項４】
前記装置の前記ネットワーク動作モードがピア装置であり、前記装置の前記プライマリユーザ保護機能が、前記ジオロケーションデータベースに対するアクセスを有し、前記方法が、
イネーブリング信号が受信される場合に、規制順守モードＩによって及び前記イネーブリング信号において指定されるように動作し、前記装置の送信パラメータを構成するステップと、
前記ジオロケーションデータベースに対するアクセスが使用不可である場合に、感知のみ規制順守モードによって動作し、前記装置の送信パラメータを構成するステップと、
前記ジオロケーションデータベースに対するアクセスが使用可能である場合に、ジオロケーションデータベースにアクセスし、前記装置の場所を決定するステップと、
前記アクセス又は場所決定が失敗する場合に、感知のみ規制順守モードによって動作し、前記装置のパラメータを構成し、そうでなければ、規制順守モードＩＩによって動作し、前記装置の送信パラメータを構成し、イネーブリング信号を送信するステップと、
前記装置の場所が変更され、前記場所変更の頻度が閾値を超える場合に、感知のみ規制順守モードによって動作し、前記装置の送信パラメータを構成するステップとを有する、請求項１に記載の方法。
【請求項５】
前記定期的な決定が、１以上のタイマによりトリガされる、請求項１に記載の方法。
【請求項６】
前記装置が規制順守モードジオロケーションのみで動作している場合に感知をオフにするステップを有する、請求項２に記載の方法。
【請求項７】
前記方法が、ビーコンフレームに装置タイプを組み込むステップと、媒体アクセス制御スーパーフレームタイミング構造のビーコン期間において定期的に前記ビーコンフレームを送信するステップとを有し、前記装置タイプが、前記装置の前記ネットワーク動作モード及び前記規制順守モードを示す、請求項１に記載の方法。
【請求項８】
無線ネットワークに属し、プライマリユーザを持つスペクトル帯域においてネットワーク動作モードの下で動作する装置において、
セカンダリ装置からの無線信号を処理、送信及び受信する信号送受信器と、
プライマリ信号を検出するプライマリ信号感知モジュールと、
動作周波数チャネルを選択又は除外するスペクトルマネージャと、
前記装置の場所を決定するジオロケーションモジュールとを有し、
前記装置は、前記装置のプライマリユーザ保護機能を決定し、前記装置に対するイネーブリング信号の利用可能性及び前記装置の場所変更の頻度の少なくとも１つを定期的に決定し、前記の定期的な決定の結果と前記装置のプライマリユーザ保護機能とに基づいて、前記装置の前記ネットワーク動作モードによりサポートされる複数の規制順守モードの１つによって動作し、前記装置の送信パラメータを構成し、
前記イネーブリング信号は、動作すべき装置に対して利用可能なチャネルの送信出力制限及び規制順守モードを示す、装置。
【請求項９】
前記装置の前記ネットワーク動作モードがマスタ装置であり、前記装置の前記プライマリユーザ保護機能が、テレビ帯域データベース及びジオロケーションデータベースにアクセスするネットワークインタフェースを有し、前記装置が、
前記ジオロケーションデータベースに対するアクセスが使用不可である場合に、感知のみ規制順守モードによって動作し、前記装置の送信パラメータを構成し、
前記ジオロケーションデータベースに対するアクセスが使用可能である場合に、前記ジオロケーションデータベースにアクセスし、前記装置の場所を決定し、
前記アクセス又は場所決定が失敗する場合に、感知のみ規制順守モードによって動作し、前記装置の送信パラメータを構成し、そうでなければ、規制順守モードＩＩによって動作し、前記装置の送信パラメータを構成し、
前記装置の場所が変更され、前記場所変更の頻度が閾値を超える場合に、感知のみ規制順守モードによって動作し、前記装置の送信パラメータを構成する、請求項８に記載の装置。
【請求項１０】
前記装置の前記ネットワーク動作モードがスレーブ装置であり、前記装置が、
イネーブリング信号が受信される場合に、規制順守モードＩによって及び前記イネーブリング信号において指定されるように動作し、前記装置の送信パラメータを構成し、そうでなければ、感知のみ規制順守モードによって動作し、前記装置の送信パラメータを構成する、請求項８に記載の装置。
【請求項１１】
前記装置の前記ネットワーク動作モードがピア装置であり、前記装置の前記プライマリユーザ保護機能が、テレビ帯域データベース及びジオロケーションデータベースにアクセスするネットワークインタフェースを有し、前記装置が、
イネーブリング信号が受信される場合に、規制順守モードＩによって及び前記イネーブリング信号において指定されるように動作し、前記装置の送信パラメータを構成し、
前記ジオロケーションデータベースに対するアクセスが使用不可である場合に、感知のみ規制順守モードによって動作し、前記装置の送信パラメータを構成し、
前記ジオロケーションデータベースに対するアクセスが使用可能である場合に、ジオロケーションデータベースにアクセスし、前記装置の場所を決定し、
前記アクセス又は場所決定が失敗する場合に、感知のみ規制順守モードによって動作し、前記装置のパラメータを構成し、そうでなければ、規制順守モードＩＩによって動作し、前記装置の送信パラメータを構成し、イネーブリング信号を送信し、
前記装置の場所が変更され、前記場所変更の頻度が閾値を超える場合に、感知のみ規制順守モードによって動作し、前記装置の送信パラメータを構成する、請求項８に記載の装置。
【請求項１２】
前記定期的な決定をトリガする１以上のタイマを有する、請求項８に記載の装置。
【請求項１３】
前記装置が規制順守モードジオロケーションのみで動作している場合に感知をオフにする、請求項９に記載の装置。
【請求項１４】
実行される場合に、無線ネットワークに属し、プライマリユーザを持つ帯域スペクトルにおいてネットワーク動作モードの下で動作する装置に、前記装置の規制順守モードを再構成するプロセスを実行させるコンピュータ実行可能コードを記憶したコンピュータ可読記憶媒体において、前記プロセスが、
前記装置のプライマリユーザ保護機能を決定するステップと、
前記装置に対するイネーブリング信号の利用可能性及び前記装置の場所変更の頻度の少なくとも１つを定期的に決定するステップと、
前記の定期的な決定の結果と前記装置のプライマリユーザ保護機能とに基づいて、前記装置によりサポートされる複数の規制順守モードの１つによって動作し、前記装置の送信パラメータを構成するステップとを有し、
前記イネーブリング信号は、動作すべき装置に対して利用可能なチャネルの送信出力制限及び規制順守モードを示す、コンピュータ可読記憶媒体。
【請求項１５】
前記装置の前記ネットワーク動作モードがマスタ装置であり、前記装置の前記プライマリユーザ保護機能が、ジオロケーションデータベースに対するアクセスを有し、前記プロセスが、
前記ジオロケーションデータベースに対するアクセスが使用不可である場合に、感知のみ規制順守モードによって動作し、前記装置の送信パラメータを構成するステップと、
前記ジオロケーションデータベースに対するアクセスが使用可能である場合に、前記ジオロケーションデータベースにアクセスし、前記装置の場所を決定するステップと、
前記アクセス又は場所決定が失敗する場合に、感知のみ規制順守モードによって動作し、前記装置の送信パラメータを構成し、そうでなければ、規制順守モードＩＩによって動作し、前記装置の送信パラメータを構成するステップと、
前記装置の場所が変更され、前記場所変更の頻度が閾値を超える場合に、感知のみ規制順守モードによって動作し、前記装置の送信パラメータを構成するステップとを有する、請求項１４に記載のコンピュータ可読記憶媒体。
【発明の詳細な説明】
【技術分野】
【０００１】
本出願は、２００９年８月５日に出願された米国仮出願第６１／２３１３８８号の利益を主張する。
【０００２】
本発明は、広くは、コグニティブ無線ネットワークに関し、より具体的には、装置のインカンベント（incumbent）保護メカニズム機能の使用に基づいて規制順守モードを動的に再構成する方法及び装置に関する。
【背景技術】
【０００３】
スペクトル使用効率を増加する目的で、無線スペクトル規制は、セカンダリユーザが、プライマリユーザにより使用されていないチャネルに動的にアクセスすることを可能にすることを目指して次第に変更されている。しかしながら、セカンダリユーザが無線スペクトルにアクセスすることを可能にする際に、米国における連邦通信委員会（ＦＣＣ）及び英国における英国情報通信庁（Ofcom）のような規制機関は、セカンダリユーザにより引き起こされる干渉からプライマリユーザを保護する一連のメカニズムを規定する。セカンダリユーザは、前記プライマリユーザの規制された無線スペクトルにおいて動作するために、プライマリ保護メカニズムとして知られる保護メカニズムを採用することを要求される。
【０００４】
採用されるプライマリ保護メカニズムに依存して、セカンダリユーザは、複数の規制順守モードの１つに分類される。各プライマリ保護メカニズム又は規制順守モードは、動作する場合に独自の利点及び制限を持つ。例えば、（ネットワーク形成、チャネル選択、及び送信出力制限に関して）動作する自由度及びコスト（実装及び動作コスト）は、異なりうる。より完全なセット（又はより多くの段階）の保護メカニズムを採用する装置は、通常、より高い実装コストの負担で、ネットワークを開始し、チャネルを選択し、送信出力制限を設定する、より高い自由度を享受する。
【０００５】
規制機関は、採用されるプライマリ保護メカニズムに依存してセカンダリユーザを複数の規制順守モードに分類する。例えば、ＦＣＣは、テレビ局及び無線マイクロフォンがインカンベント（プライマリユーザ）であるテレビ帯域において動作する無認可パーソナル／ポータブル装置（セカンダリテレビ帯域装置、ＴＶＢＤ）に対する３つの規制順守モードを規定する。これら３つの規制順守モードは、モードＩＩ、モードＩ、及び感知のみ（sensing-only）モードである。加えて、ＦＣＣは、高出力無認可ＴＶＢＤ（パーソナル／ポータブルＴＶＢＤ）に対する第４の規制順守モード装置、特に固定装置を規定する。
【０００６】
モードＩＩにおいて動作する装置は、チャネル利用可能性を決定するために＋／−５０ｍの精度で場所を決定し、テレビ帯域データベースにアクセスする機能を持つことを要求される。現在の規則は、モードＩＩ装置が付加的なスペクトル感知機能を持つことをも要求する。モードＩＩ装置は、ネットワークを開始し、送信出力制限を１００ｍＷに設定することを可能にされる。対照的に、モードＩ装置は、ジオロケーション機能を持つ又はテレビ帯域データベースにアクセスすることを要求されないが、感知機能を持つことを要求される。しかしながら、モードＩ装置は、ネットワークを開始することができず、モードＩＩ装置（又は固定装置）により使用可能にされる従属装置として動作することを可能にされるのみである。感知のみ装置は、感知機能を採用し、ジオロケーション機能を持つ又はテレビ帯域データベースにアクセスすることを要求されない。感知のみ装置は、独立してネットワークを開始し、チャネル利用可能性を決定することができる。しかしながら、感知のみ装置の送信出力は、５０ｍＷに制限される。他の例として、英国におけるスペクトル規制機関（Ofcom）は、２つの規制順守モード装置、すなわち、ジオロケーションのみ又は感知のみを可能にする。
【０００７】
各プライマリ保護メカニズム、したがって、規制順守モードは、動作する場合に利点及び制限を持つ。ジオロケーションデータベースアプローチ（モードＩＩ）は、特定の時間及び特定の場所において失われる又は利用可能ではないかもしれない、又は装置が頻繁に移動する場合に非常に高価でありうるリアルタイムジオロケーション及びインターネットに対するタイムリーアクセスを頼りにする。現在のＦＣＣ規則によると、場所が変わる場合、モードＩＩ装置は、再びテレビ帯域データベースにクエリを行う必要がある。感知アプローチに対して、全ての送信が一時中断される沈黙期間が必要とされ、これは、スペクトル使用効率に負担をかける。感知は、ノイズをプライマリ信号として間違って扱うことにより偽陽性をも受ける。感知のみ装置は、ジオロケーションデータベースアプローチをサポートするものより低い出力制限で送信することを可能にされるのみである。
【発明の概要】
【発明が解決しようとする課題】
【０００８】
したがって、上で指摘されたように、セカンダリ装置は、規制順守要件により制限される。セカンダリ装置を１つの規制順守モードに制限することは、動作フレキシビリティを制限する及び／又は電力消費のような動作コストを増加させる。
【課題を解決するための手段】
【０００９】
本発明の一実施例によると、プライマリ保護メカニズムのセットの使用に基づいてセカンダリ装置の規制順守モードを動的に再構成する方法が、提案される。提案される方法の利点の１つは、セカンダリ装置の動作コストが低下されることができ、チャネル及び送信出力を選択する自由度が増加されることができることである。結果として、ＴＶＢＤは、より長いバッテリ寿命、選択するより多くのチャネル、及び／又はより高いリンク品質を持つことができる。
【００１０】
本発明の例示的実施例によると、開示されるフィーチャは、セカンダリ装置が、
−これ自体及び他のセカンダリ装置の規制順守モードを識別し、それに応じて通信を確立するように動作し、
−ネットワーク動作の要求に最良に合う規制順守モードを動的に再構成する、例えば、感知及びジオロケーションデータベースコンボ装置（例えばモードＩＩ  ＴＶＢＤ）は、携帯性／可動性を向上させるために感知のみに頼るようにジオロケーション及びテレビ帯域データベースアクセスをオフにすることができる、
−イネーブリング信号により従属装置を使用可能にする、
ことを可能にする。
【００１１】
本発明の一実施例において、無線ネットワークの一部であり、かつプライマリユーザを持つスペクトル帯域においてネットワーク動作モードの下で動作する装置の規制順守モードを動的に再構成する方法が、提供される。前記方法は、前記装置のプライマリ保護機能、前記装置に対するイネーブリング信号の利用可能性、及び前記装置の場所変更の頻度の少なくとも１つを定期的に決定するステップと、このような決定の結果に基づいて、前記装置のネットワーク動作モードに基づいて前記装置によりサポートされる複数の規制順守モードの１つによって動作し、前記装置の送信パラメータを構成するステップとを含む。
【００１２】
本発明の他の実施例において、無線ネットワークの一部であり、プライマリユーザを持つスペクトル帯域においてネットワーク動作モードの下で動作する装置が、提供される。前記無線装置は、セカンダリ装置からの無線信号を処理、送信及び受信する信号送受信器と、プライマリ信号を検出するプライマリ信号感知モジュールと、動作周波数チャネルを選択又は除外するスペクトルマネージャとを含む。前記無線装置は、テレビ帯域データベースにアクセスし、ジオロケーションを決定するネットワークインタフェースを更に含んでもよい。
【００１３】
本発明と見なされる対象は、本明細書の結末における請求項において詳細に指摘され、はっきりと主張される。本発明の前述の及び他のフィーチャ及び利点は、添付の図面と併せて以下の詳細な説明から明らかになる。
【図面の簡単な説明】
【００１４】
【図１】本発明の一実施例によるセカンダリ装置によるスペクトル利用可能性の決定を示す。
【図２】本発明の一実施例によるセカンダリ装置のブロック図を示す。
【図３】マスタ・スレーブ関係又はピアツーピア関係を形成する複数のセカンダリ装置を示す。
【図４】例示的な実施例によるビーコン送信のタイミング図を示す。
【図５】例示的な実施例によるマスタ装置における規制順守モードの動的再構成のフローチャートを示す。
【図６】例示的な実施例によるスレーブ装置における規制順守モードの動的再構成のフローチャートを示す。
【図７】例示的な実施例によるピア装置における規制順守モードの動的再構成のフローチャートを示す。
【発明を実施するための形態】
【００１５】
開示される実施例が、この中の革新的教示の多くの有利な使用の例でしかないことに注意することは重要である。一般に、本出願の明細書内のステートメントは、必ずしも様々な請求される発明のいずれも制限しない。更に、一部のステートメントは、一部の発明フィーチャに適用されうるが、他では適用されえない。一般に、他に示されない限り、単数形の要素は、一般性を失うことなしに複数であってもよく、逆も同様である。図面において、同様の数字は、複数の図を通して同様の部分を参照する。
【００１６】
図１に示されるように、一実施例におけるスペクトル利用可能性は、スペクトル感知及びテレビ帯域／ジオロケーションデータベースにより決定される。セカンダリマスタ装置１０１は、例えばネットワークインタフェースを介してインターネット１３１上で、テレビ帯域／ジオロケーションデータベース１４１にアクセスすることができる。テレビ帯域／ジオロケーションデータベース１４１は、セカンダリマスタ装置１０１のジオロケーションに基づいてテレビ帯域情報を提供する。セカンダリマスタ装置１０１は、プライマリ装置１２１からの信号を感知することもできる。
【００１７】
セカンダリクライアント装置１１１に対して、スペクトル利用可能性は、通常は、プライマリ装置１２１のスペクトル感知、及び関連付けられたセカンダリマスタ装置１０１から受信された信号伝達により決定される。
【００１８】
図２は、セカンダリ装置のブロック図を示す。セカンダリ装置２００は、信号送受信器２０１と、プライマリ信号感知モジュール２０２と、ネットワークインタフェース２０３と、スペクトルマネージャ２０４と、ジオロケーションモジュール２０５とを含む。セカンダリ信号送受信器２０１は、セカンダリ装置間の無線信号を処理、送信及び受信することに関与する。ネットワークインタフェース２０３は、例えばインターネットを通して遠隔で接続されることができる前記テレビ帯域データベース及びジオロケーションデータベースに対するアクセスを提供する。プライマリ信号感知モジュール２０２は、プライマリ信号を検出することに関与する。スペクトルマネージャ２０４は、前記スペクトルデータベース及びスペクトル感知に基づいて前記セカンダリ装置に対する動作周波数チャネルを選択又は除外する。ジオロケーションモジュール２０５は、定期的に又は前記装置の場所が変わる場合に、典型的には＋／−５０メートル内で前記装置の場所を決定する。スペクトルマネージャ２０４及びジオロケーションモジュール２０５は、前記装置内の装置マネージャ２０６の構成部分であることができる。
【００１９】
装置マネージャ２０６を含む前記構成部分は、例えば、フィールドプログラマブルゲートアレイ（ＦＰＧＡ）、特定用途向け集積回路（ＡＳＩＣ）、ゲートアレイ、論理ゲートの組み合わせ、信号処理回路、及びアナログ回路等を含むハードウェアコンポーネント（ハードウェア回路）として実装されることができる。前記構成部分は、ソフトウェアとして上記の処理を実現する部分（フラグメント）としてソフトウェアコンポーネントを含むことができ、前記ソフトウェアを実現する言語及び開発環境等を限定する概念ではない。前記ソフトウェアコンポーネントは、例えば、タスク、プロセス、スレッド、ドライバ、ファームウェア、データベース、表、関数、プロシージャ、サブルーチン、プログラムコードの特定の一部、データ構造、アレイ、変数、及びパラメータ等を含む。このようなソフトウェアコンポーネントは、１又は複数のメモリ（１又は複数の特別なプロセッサ（例えば、特定のＣＰＵ（中央処理ユニット）及びＤＳＰ（デジタル信号プロセッサ）等）において実現される。上記の実施例の各々は、上記の処理セクションの各々を実現する方法を限定しない。
【００２０】
図３に示されるように、複数のセカンダリ装置を有するネットワークが、ピアツーピア関係（アドホックネットワーク３１０）又はマスタ・スレーブ関係（インフラストラクチャベースのネットワーク３２０）として形成されることができる。セカンダリ装置は、ピア装置３１１、マスタ装置３２１、又はスレーブ／クライアント装置３２２として動作することができる。
【００２１】
一実施例において、少なくとも１つの装置が、図４に示されるように媒体アクセス制御（ＭＡＣ）スーパーフレームタイミング構造４００で定期的にビーコンを送信する。
【００２２】
装置タイプ及び規制順守モード識別
装置タイプは、選択されたネットワーク動作モード及び規制順守モード、並びにセキュリティモード（オプション）により特徴づけられる。前記ネットワーク動作モードは、ネットワークトポロジ形成及び前記ネットワーク内の前記装置の役割を示す。前記ネットワーク動作モードは、マスタ、スレーブ、又はピア装置であることができる。
【００２３】
前記規制順守モードは、規制により規定される。上で論じられたＦＣＣの例において、前記規制順守モードは、モードＩＩ、モードＩ、又は感知のみモードであることができる。他の例（Ofcom）において、前記規制順守モードは、ジオロケーションのみ又は感知のみであることができる。
【００２４】
一実施例において、装置がビーコン装置である場合、前記装置タイプは、ビーコンフレームに組み込まれるべきである。マスタ装置及びピア装置は、ビーコン装置である。スレーブ装置は、その機能に依存してビーコン装置であることができる。ビーコンは、表１に示されるようなビーコンフレームペイロードフォーマットを持つビーコン期間（ＢＰ）において定期的に送信される。
【表１】
0005628311.tif 000002
【００２５】
前記装置タイプの情報フィールドコーディングは、一実施例によって表２に示される。
【表２】
0005628311.tif 000003
【００２６】
従属装置を使用可能にする
規制順守モード（モードＩＩ）で動作する装置は、これ自体ではチャネル利用可能性を決定することができない従属装置を使用可能にすることができる。そうするために、前記イネーブリング装置（モードＩＩ装置）は、動作すべき従属装置に対して利用可能なチャネルの送信出力制限及び規制順守モードを示す必要がある。
【００２７】
前記イネーブリング信号は、以下のように規定される。
{
- 規制順守モード（＝モードＩＩ）
- 現在の動作チャネル上の従属装置の送信出力制限
- 利用可能な帯域外チャネル及びその送信出力制限（オプション）
}
【００２８】
前記送信出力制限は、チャネル毎に規定される。帯域内送信出力制限は、現在の動作チャネルの送信出力制限である。許容可能な帯域外チャネルは、前記現在の動作チャネル以外の利用可能なチャネルである。許容可能な帯域外チャネルは、バックアップチャネルに対して使用されることができる。前記現在の動作チャネルが利用不可能になる場合、１つの許容可能な帯域外チャネルが、新しい動作チャネルとして選択されることができる。帯域内送信出力制限及び許容可能な帯域外チャネルの情報要素は、表３及び表４にそれぞれ示される。
【表３】
0005628311.tif 000004
【００２９】
【表４】
0005628311.tif 000005
【００３０】
前記イネーブリング信号は、前記イネーブリング装置によりビーコンにおいて定期的に送信される。一度前記イネーブリング信号が受信されると、装置は、前記イネーブリング装置に対して従属装置として動作することができる。前記従属装置は、規制順守モードを示し、前記イネーブリング装置により示されるように独自の送信パラメータ（チャネルセット及び送信制限）を構成する必要がある。
【００３１】
規制順守モード再構成
マスタ装置は、モードＩＩ（又は英国におけるジオロケーションのみ）又は感知のみモードのいずれかで動作することができる。スレーブ装置は、モードＩ又は感知のみモードのいずれかで動作することができる。ピア装置は、モードＩＩ、モードＩ、又は感知のみモードで動作することができる。規制順守モードとネットワーク動作モードとの間の関係は、表５に示されている。
【表５】
0005628311.tif 000006
一部のスレーブ装置がモードＩＩで動作する機能を持ちうることが可能であることに注意する。
【００３２】
前記規制順守モードは、以下の入力に基づいて変更されることができる。
{
（１）プライマリ保護機能：感知機能又はジオロケーションデータベースアクセス機能又は従属
（２）ネットワーク動作モード：マスタ／スレーブ／ピア
（３）場所更新頻度又は移動速度
（４）イネーブリング信号の利用可能性
}
【００３３】
前記規制順守モードの（再）構成のフローチャートは、セカンダリマスタ装置、スレーブ装置及びピア装置に対して図５、図６及び図７においてそれぞれ示される。一度前記規制順守モードが変更されると、動作すべきチャネル及び送信出力制限を含む送信パラメータがこれに応じて更新されるべきであることに注意する。一例において、装置がモードＩＩから感知のみモードに規制順守モードを変更する場合、前記送信出力制限は、規制規則が規定するように１００ｍＷから５０ｍＷに変更される。
【００３４】
図５は、一実施例によってマスタ装置５００において前記規制順守モードを（再）構成するプロセスフローを示す。５０１において、前記マスタ装置は、ジオロケーションデータベースに対するアクセスが使用可能であるかどうかを決定する。使用可能ではない場合、５０２において、前記マスタ装置は、感知のみモードで動作し、５０３において、現在の順守モードによって送信パラメータを構成する。５０４において、前記マスタ装置は、タイマＴ３を設定し、５０５において、タイマＴ３が終了すると、ジオロケーションデータベースに対するアクセスが使用可能であるかどうかを決定するためにステップ５０１を繰り返す。ジオロケーションデータベースに対するアクセスが使用可能である場合、５０６において、前記マスタ装置は、前記マスタ装置の場所を決定し、前記ジオロケーションデータベースにアクセスしようと試みる。このような試みが、ある時間期間（規制規則により設定された最大データベース確認期間）に対して失敗する場合、前記マスタ装置は、これに応じて感知のみモードで動作するためにステップ５０２を実行する。前記データベースに対するアクセス及び場所決定が成功する場合、５０７において、前記マスタ装置は、モードＩＩで動作し、現在の順守モードによって送信パラメータを構成し、イネーブリング信号を定期的に送信し、不要である場合に感知をオフにし、タイマＴ１を設定する。５０８において、前記マスタ装置は、場所が変更されたかどうかを決定し、変更されていない場合、５０９において、タイマＴ１が終了すると、前記ジオロケーションデータベースにアクセスし、場所を決定するために５０６に戻る。前記マスタ装置の場所が変更された場合、５１０において、前記マスタ装置は、前記場所変更が頻繁すぎる、すなわち、変更の頻度が閾値を超えるかどうかを決定する。前記場所変更が頻繁すぎる場合、５１１において、前記マスタ装置は、感知のみモードで動作し、タイマＴ２を設定する。５１２において、タイマＴ２が終了すると、前記マスタ装置は、前記場所変更が頻繁すぎるかどうかを決定するために５１０における動作を繰り返す。前記場所変更が頻繁すぎない場合、前記マスタ装置は、前記ジオロケーションデータベースにアクセスし、場所を決定するために５０６における動作を繰り返す。
【００３５】
図６は、一実施例によってスレーブ装置６００において前記規制順守モードを（再）構成するプロセスフローを示す。６０１において、前記スレーブ装置は、マスタ装置からイネーブリング信号を受信しているかどうかを決定する。イネーブリング信号が受信されていない場合、６０２において、前記スレーブ装置は、感知のみモードで動作し、６０３において、現在の順守モードによって送信パラメータを構成する。イネーブリング信号が受信されている場合、６０４において、前記スレーブ装置は、モードＩで動作し、６０３において、現在の順守モードによって、及び前記イネーブリング信号において前記マスタ装置により指定されたように送信パラメータを構成する。
【００３６】
図７は、一実施例によってピア装置７００において前記規制順守モードを（再）構成するプロセスフローを示す。７０１において、前記ピア装置は、他のピア装置からイネーブリング信号を受信しているかどうかを決定する。肯定である場合、７０２において、前記ピア装置は、モードＩで動作し、７０３において、現在の順守モードによって送信パラメータを構成する。イネーブリング信号が受信されていない場合、７０４において、前記ピア装置は、ジオロケーションデータベースに対するアクセスが使用可能であるかどうかを決定する。使用可能ではない場合、７０５において、前記ピア装置は、感知のみモードで動作し、７０６において、現在の順守モードによって送信パラメータを構成する。７０７において、前記ピア装置は、タイマＴ３を設定し、７０８において、タイマＴ３が終了すると、他のピア装置からのイネーブリング信号が受信されているかどうかを決定するために７０１における動作を繰り返す。ジオロケーションデータベースに対するアクセスが使用可能である場合、７０９において、前記ピア装置は、前記ジオロケーションデータベースにアクセスしようと試み、場所を決定する。このような試みが、ある時間期間（規制規則により設定される最大データベース確認期間）に対して失敗する場合、前記ピア装置は、これに応じて感知のみモードで動作するために７０５における動作を実行する。前記データベースに対するアクセス及び場所決定が成功する場合、７１０において、前記ピア装置は、モードＩＩで動作し、現在の順守モードによって送信パラメータを構成し、イネーブリング信号を定期的に送信し、不要である場合に感知をオフにし、タイマＴ１を設定する。７１１において、前記ピア装置は、場所が変更されたかどうかを決定し、否定である場合に、７１５において、タイマＴ１が終了すると、前記ジオロケーションデータベースにアクセスし、場所を決定するために７０９における動作を繰り返す。前記ピア装置の場所が変更された場合、７１２において、前記ピア装置は、前記場所変更が頻繁すぎる、すなわち、変更の頻度が閾値を超えるかどうかを決定する。前記場所変更が頻繁すぎる場合、７１３において、前記ピア装置は、感知のみモードで動作し、タイマＴ２を設定する。５１２において、タイマＴ２が終了すると、前記ピア装置は、前記場所変更が頻繁すぎるかどうかを決定するために７１２における動作を繰り返す。前記場所変更が頻繁すぎない場合、前記ピア装置は、前記ジオロケーションデータベースにアクセスし、場所を決定するために７０９における動作を繰り返す。
【００３７】
本発明は、例えば、ＩＥＥＥ８０２．１１、ＩＥＥＥ８０２．１５及びＥＣＭＡ  ＴＣ４８−ＴＧ１、並びに他の新生のコグニティブ無線規格に適用可能である。
【００３８】
前述の詳細な説明は、本発明が取ることができる多くの形式の少数を記載している。前述の詳細な説明が、本発明の規定に対する限定ではなく、本発明が取ることができる選択された形式の説明として理解されることが意図される。本発明の範囲を規定すると意図される全ての同等物を含むのは、請求項のみである。
【００３９】
より好ましくは、本発明の原理は、ハードウェア、ファームウェア及びソフトウェアのいかなる組み合わせとしても実施される。更に、前記ソフトウェアは、好ましくは、特定の装置及び／又は装置の組み合わせ又はその一部からなるプログラム記憶ユニット又はコンピュータ可読記憶媒体において具体化されたアプリケーションプログラムとして実施される。コンピュータ可読記憶媒体は、一時的な伝搬する信号を除く全てのコンピュータ可読媒体を有する。前記アプリケーションプログラムは、適切なアーキテクチャを有するマシンにアップロードされ、これにより実行されることができる。好ましくは、前記マシンは、１以上の中央処理ユニット（ＣＰＵ）、メモリ、及び入出力インタフェースのようなハードウェアを持つコンピュータプラットフォームにおいて実施される。前記コンピュータプラットフォームは、オペレーティングシステム及びマイクロ命令コードを含むこともできる。ここに記載された様々なプロセス及び機能は、このようなコンピュータ又はプロセッサが明示的に示されているか否かにかかわらず、ＣＰＵにより実行されることができる、前記マイクロ命令コードの一部又は前記アプリケーションプログラムの一部、又はこれらの組み合わせのいずれかであることができる。加えて、追加のデータ記憶ユニット及び印刷ユニットのような様々な他の周辺ユニットが、前記コンピュータプラットフォームに接続されてもよい。
【図１】
0005628311.tif 000007
【図２】
0005628311.tif 000008
【図３】
0005628311.tif 000009
【図４】
0005628311.tif 000010
【図５】
0005628311.tif 000011
【図６】
0005628311.tif 000012
【図７】
0005628311.tif 000013